(57)【要約】電気音響変換器は、間にギャップを画定する対向面の組を有する磁気伝導性の物質からなる磁気回路を備え、この磁気回路は、ギャップに磁界を有する磁石を備え、この磁石は、対応面の１つを構成する表面を有する。この磁気回路は、振動板と、振動板に固定された導電性経路を有するコイルとをさらに備える。このコイルは、ギャップに位置する経路部分を有する。
2004517591.tif 000002
【特許請求の範囲】
【請求項１】
電気音響変換器（１０）であって、
間にギャップ（２８）を画定する対向面の組（（２７、２９）もしくは（２５、２９ａ））を有する磁気伝導性の物質からなる磁気回路（２０）であって、該磁気回路（２０）は前記ギャップ（２８）に磁界を有する磁石（２６）を備え、該磁石（２６）は、前記対応面の１つを構成する表面（２９もしくは２９ａ）を有する磁気回路（２０）と、
振動板（４０）と、
該振動板（４０）に固定された導電性経路を有するコイル（３０）であって、該コイル（３０）は、前記ギャップ（２８）に位置する経路部分（３４）を有するコイル（３０）と、を備える電気音響変換器。
【請求項２】
請求項１に記載の変換器（１０）であって、前記磁気回路（２０）は、第１および第２のギャップ（２８）を画定する２組の対抗面（（２７、２９）もしくは（２５、２９ａ））を有し、前記コイル（３０）は、前記第１および第２のギャップ（２８）のそれぞれ１つに位置する経路の第１および第２のギャップ部分（３４）と、該第１および第２のギャップ部分（３４）と相互接続する経路の架設部分（３５）と、を有し、前記コイル（３０）は、前記架設部分（３５）において前記振動板（４０）と固定される変換器。
【請求項３】
請求項２に記載の変換器（１０）であって、前記対向面の組（（２７、２９）もしくは（２５、２９ａ））のそれぞれは、互いに実質的に平行である実質的な平面である変換器。
【請求項４】
請求項１〜３のいずれか一項に記載の変換器（１０）であって、前記磁気回路（２０）は、その内部に２つの開口部（２４）を有する軟磁性の物質（２１、２２、２３）の本体を有し、各前記開口部（２４）は、前記第１および第２のギャップ（２８）のそれぞれ１つを画定する対向面の組（（２７、２９）もしくは（２５、２９ａ））を有する変換器。
【請求項５】
請求項４に記載の変換器（１０）であって、軟磁性の物質（２３）の表面（２７）と磁石（２６）の表面（２９）との間にギャップ（２８）を形成するよう各前記磁石（２６）が軟磁性の物質（２１）に取り付けられる変換器。
【請求項６】
軟磁性の物質（２１）の表面（２５）と磁石（２６）の表面（２９ａ）との間にギャップ（２８）を形成するよう各前記磁石（２３）が取り付けられる請求項４に記載の変換器。
【請求項７】
請求項４〜６のいずれか一項に記載の変換器（１０）であって、前記磁気回路（２０）の前記開口部（２４）が貫通しており、前記磁気伝導性の物質（２１、２２、２３）は、ギャップ（２８）を画定する前記対向面の各組（（２７、２９）もしくは（２５、２９ａ））の間に、各閉磁路を画定する変換器。
【請求項８】
請求項１〜７のいずれか一項に記載の変換器（１０）であって、振動板（４０）は、導電性を有する部分（４１）を有し、コイル（３０）は、前記振動板（４０）の前記導電性を有する部分（４１）に電気的に接続される導電性経路の終端（３１）を有し、前記導電性を有する部分（４１）は、前記変換器を電気的に終端するための外部からアクセス可能な部分をさらに有する変換器。
【請求項９】
請求項１〜８のいずれか一項に記載の変換器において使われるコイル（３０）であって、該コイル（３０）は、前記振動板（４０）に前記コイル（３０）を固定する実質的に平面を有する架設面を画定する架設部分（３５）と、前記架設面に実質的に平行な複数の導電性セグメントをそれぞれが備える前記架設面の外側にあるギャップ部分（３４）と、を備えるコイル。
【請求項１０】
請求項９に記載のコイル（３０）であって、前記ギャップ部分（３４）において前記導電性セグメントは実質的に直線であるコイル。
【請求項１１】
請求項９または１０に記載のコイル（３０）であって、該コイル（３０）は、巻かれた導電性ワイヤによって形成されるコイル。
【請求項１２】
請求項９または１０に記載のコイル（３０）であって、該コイル（３０）は、フレックスプリントのような柔軟性のある回路ボード上に形成された導電性によって形成されるコイル。
【請求項１３】
導電性ワイヤからコイル（３０）を製造する方法であって、該方法は、
導電性ワイヤから、コイル軸を画定するコイルを生成することと、
前記コイル軸に垂直な２つの折り曲げ軸（３３）を囲むように前記コイル（３０）を折り曲げることと、を備える方法。
【請求項１４】
請求項１〜８のいずれか一項に記載の電気音響変換器（１０）において使用する磁気回路（２０）であって、該磁気回路は、間にギャップ（２８）を画定する対向面の組（（２７、２９）もしくは（２５、２９ａ））を有する磁気伝導性の物質を備え、前記磁気回路（２０）は、前記ギャップ（２８）に磁界を含む磁石（２６）を備え、該磁石（２６）は、前記対抗面の１つを構成する表面（２９もしくは２９ａ）を有し、前記ギャップ（２８）は、コイルの一部分を受けるように合わせられる磁気回路。
【請求項１５】
前記磁気回路（２０）は、第１および第２のギャップ（２８）を画定する２組の対抗面（（２７、２９）もしくは（２５、２９ａ））を有する請求項１４に記載の磁気回路。
【請求項１６】
請求項１５に記載の磁気回路（２０）であって、各前記対抗面（（２７、２９）もしくは（２５、２９ａ））は、互いに実質的に平行である実質的な平面である磁気回路。
【請求項１７】
請求項１４〜１６のいずれか一項に記載の磁気回路（２０）であって、その内部に２つの開口部（２４）を有する軟磁性の物質（２１、２２、２３）の本体を有し、各前記開口部（２４）は、前記第１および第２のギャップ（２８）のそれぞれ１つを画定する対向面の組（（２７、２９）もしくは（２５、２９ａ））を有する磁気回路。
【請求項１８】
請求項１７に記載の磁気回路（２０）であって、軟磁性の物質（２３）の表面（２７）と磁石（２６）の表面（２９）との間にギャップ（２８）を形成するよう各前記磁石（２６）が軟磁性の物質（２１）に取り付けられる磁気回路。
【請求項１９】
請求項１７に記載の磁気回路（２０）であって、軟磁性の物質（２１）の表面（２５）と磁石（２６）の表面（２９ａ）との間にギャップ（２８）を形成するよう各前記磁石（２３）が軟磁性の物質（２１）に取り付けられる磁気回路。
【請求項２０】
請求項１９に記載の磁気回路（２０）であって、前記磁気回路（２０）の前記開口部（２４）が貫通しており、前記磁気伝導性の物質（２１、２２、２３）は、ギャップ（２８）を画定する前記対向面の組（（２７、２９）もしくは（２５、２９ａ））の間に、各閉磁路を画定する磁気回路。
【請求項２１】
請求項１４〜２０のいずれか一項に記載の磁気回路（２０）であって、前記コイル（３０）は、導電性ワイヤが巻かれることで形成される磁気回路。
【請求項２２】
請求項１４〜２０のいずれか一項に記載の磁気回路（２０）であって、前記コイル（３０）は、フレックスプリントのような柔軟性のある回路ボード上に形成された導電性経路によって形成される磁気回路。
【請求項２３】
前記柔軟性のある回路ボードは振動板の一部を形成する請求項２２に記載の磁気回路。
【請求項２４】
請求項１〜８のいずれか一項に記載の変換器（１０）であって、前記磁気回路（２０）を収容するケース（５０）を備え、該ケース（５０）は、２組のエッジによって確定される長方形状の開口部を備え、前記振動板（４０）は、前記長方形状の開口部を少なくとも部分的にカバーするよう前記ケース（５０）に取り付けられる変換器。
【請求項２５】
請求項２４に記載の変換器（１０）であって、前記振動板（４０）は、前記ケース（５０）の前記長方形状の開口部をカバーするような長方形状を有する変換器。
【請求項２６】
請求項２４に記載の変換器（１０）であって、前記振動板（４０）は、前記ケース（５０）の２組のエッジのうち１つに取り付けられる変換器。
【請求項２７】
請求項２４に記載の変換器（１０）であって、前記振動板（４０）は、前記ケース（５０）の両方の組のエッジに取り付けられる変換器。
【発明の詳細な説明】
【０００１】
本発明は、電気音響変換器に関し、特に、磁界中を移動可能なコイルを持つ振動板（ｄｉａｐｈｒａｇｍ）を有する動電型変換器に関する。
【０００２】
電気音響変換器、特に動電型変換器は、小さなサイズが必要とされるワイヤレスおよび移動電話のような電気通信装置に広く使われている。例えば移動電話で使われる従来の動電型マイクロホンおよびスピーカー変換器は、回転対称であり、磁石の軸方向に磁化した円形ディスクもしくはリング形状の永久磁石を有している。磁気的には軟鉄もしくは他の適当な物質である磁気回路は、磁石によって形成される半径方向の磁界を有するリング形状のギャップを画定する。振動板は、ギャップに位置する導電性ワイヤからなるリング形状コイルを持つ。
【０００３】
ギャップを画定する内側および外側の部材が完全なる同軸状ではない場合、ギャップは、一定の幅を有さず、ギャップに沿って磁界分布が歪むであろう。このような歪んだ磁界内においては、音響周波数で電流が流れるコイルは、まっすぐには動かずに斜めになる傾向にあり、このことは線形および非線形の歪みをもたらす。
【０００４】
この音響変換器では、リング形状ギャップでの磁界は半径方向に向かっており、これにより、磁界は、外側の境界線においてより内側の境界線においての方が本質的には強い。完全には中心にないコイルは、上述と同じような歪みをもたらすであろう。
【０００５】
磁界におけるこのような不均一性を本発明により回避し、これにより、変換器がマイクロホンであろうとスピーカー変換器であろうと、変換器からクリアな出力を得ることができる。磁界は公知の変換器よりも強く、このため、小さくても同じ感度を有するように変換器を作ることができ、例えば移動電話の製造に真価を発揮する。さらに、この変換器は、磁気回路のおかげで、従来の変換器に比較して浮遊磁界（ｓｔｒａｙ ｍａｇｎｅｔｉｃ ｆｉｅｌｄ）を低減することになろう。
【０００６】
以下、本発明について図面を参照して説明する。
【０００７】
図１および２は、主要部品すなわち磁気回路２０、コイル３０および振動板４０を有する動電型変換器１０を示す。図３もまた磁気回路２０を示す。
【０００８】
図３に最も良く示されているように、磁気回路２０は、終端が接続されて概ね長方形状のリングを形成する２つの長い脚部２１および２つの短い脚部２２を有する。真ん中の脚部２３は、２つの短い脚部２２に相互に接続され、長方形リングの内部を２つの長方形状の開口部２４に分割する。磁気回路の２つの長い脚部２１、２つの短い脚部２２および真ん中の脚部２３は、好適には高い磁気飽和値を有する軟磁性の物質からなる。開口部２４に向かって面している２つの長い脚部２１および真ん中の脚部２３の表面は、概ね平らであり、その間にギャップを画定する。長い脚部２１のそれぞれの開口部２４に面した平らな側面上には、側面２５に取付けられた磁石２６がある。磁石２６はそれぞれ、長い脚部に取り付けられた磁極面と、開口部および真ん中の脚部２３の対抗面２７に面する反対側の何も接続されていない磁極面２９と、を有し、これによって、磁石のギャップ２８は、何も接続されていない磁極面２９と真ん中の脚部の表面２７との間に画定される。
【０００９】
代替例（図示せず）では、磁石２６を真ん中の脚部２３の側面２７に取り付けることができる。こうすると、磁石２６はそれぞれ、真ん中の脚部２３に取り付けられた磁極面と、開口部および長い脚部２１の対抗面２５に面する反対側の何も接続されていない磁極面２９ａと、を有し、これによって、（図１および３で参照符号２８で示される）磁石のギャップは、真ん中の脚部２３と磁石２６との間に位置する代わりに、何も接続されていない磁極面２９ａと長い脚部の表面２５との間に画定される。
【００１０】
各磁石２６は、対応するギャップ２８に磁界を形成し、真ん中の脚部２３、短い脚部２２および長い脚部２１を通る閉磁路（ｍａｇｎｅｔｉｃ ｒｅｔｕｒｎ ｐａｔｈ）が画定される。このようにしてそれぞれがギャップ２８を画定する磁極面を有する磁石で、閉磁路が磁石のギャップ２８を完全に取り囲む。これにより、ギャップ２８に集中させられる磁界および小さい浮遊磁界を有する磁気システムが非常に平らでコンパクトな構造となり、その結果、感度が高くなり、磁気シールドの必要性が少なくなる。図１および２では、図３の磁気システム２０が、例えば、モールディングによってあるいは予め形成した「箱」にフィッティングさせることによって、プラスチックケース５０内に置かれる。プラスチックケースは、開口部２４を開閉する底面を有してもよい。
【００１１】
図４は、音響変換器１０に使われるコイル３０の実施例を示す。コイル３０は、銅などのような細い導電性ワイヤで巻かれており、例えばラッカーを表面層に用いて互いに電気的に絶縁される複数ターンを有する。コイルは、図面に垂直なコイル軸を有する。従来例として知られているように、ワイヤおよびコイルは、巻いている間は加熱され、それによってラッカーが接着剤となって巻線を互いに接着し、これによりコイルが機械的に固定される。コイル３０のワイヤは、コイルと例えば電子回路に接続する２つのワイヤ端３１を有する。
【００１２】
コイル３０は、概ね長方形の断面に手動で巻かれ、それによってコイルは、概ね長方形の開口部３２と、角が丸みを帯びた概ね長方形の外輪郭と、を有する図４に示された形状のようになる。図４では、コイルは、比較的平らであり、一般的には半径方向の幅の１０〜３０％、あるいは、コイルに対して実行すべき次の操作に従うよう、内輪郭と外輪郭との間の半径方向の幅より小さい厚さを有する。
【００１３】
コイルは、ワイヤの所望のターン数で所望の形状および厚さに巻かれた後は心棒から取り抜かれる。コイルがまだ温かい間は、ラッカーが高温のためにまだ軟らかく、コイルは、折り曲げ装置（図示せず）を使ってフラットコイルの平面で、２つの平行な折り曲げ軸３３にそって折り曲げられる。これによってコイルは、コイルの２つの長いセクション３４が２つの短いセクション３５に対して９０度折り曲げられて２つの長いセクション３４が互いに平行となった図１および２に示したような形状になる。コイルを折り曲げた後は冷却されてラッカーがもはや柔軟とはならなくなり、コイルは固定される。
【００１４】
代替例では、フレキシブルプリント回路ボードすなわちフレックスプリントのような薄く柔軟なシートでコイルを形成することができる。この薄く柔軟なシートは、コイルのような電気経路を形成するために予め規定された導電経路をそのシート上に持つ。後述するように、振動板は、好適な実施例では、導電性を有する部分を持つ。したがって、コイルおよび振動板を、適当な導電経路を有するフレックスプリントの１枚のシートで作ることができる。このシートの形状はコイルの２つの長い部分が、集積した振動板／コイル構造の残りの部分に関して９０度の角度を有して現れるように作られる。
【００１５】
折り曲げられ固定されたコイルは、次に振動板４０に固定される。振動板は薄く柔軟なシートから作られる。振動板４０は、図２に示されたその下方側に、導電性を有する部分４１を有し、そしてコイルは、振動板のその下方側に、導電性を有する部分４１のそれぞれ１つに例えばハンダ付けもしくは溶接により電気的に接続された２つのワイヤ端３１を有するよう、例えば接着剤を使って固定される。ワイヤ端を振動板に直接に接続することにより、変換器が動作しているときすなわち振動板が動いているときにワイヤが破壊される／ダメージを受ける危険性が著しく低減する。なぜなら、コイルは振動板４０に固定されているからである。
【００１６】
しかし、この代わりとして、ワイヤ端を、ハンダ付けによってケース上の端子に電気的に接続することもできる。
【００１７】
振動板４０は形状が長方形であり、舌部４２が、舌部４２へ伸びる導電性を有する部分４１を有して振動板の長い側から伸びており、舌部上の導電性を有する部分４１がコイルのワイヤ端３１のそれぞれに電気的に接続される。
【００１８】
固定されたコイル３０を有する振動板４０は、ギャップ２８のそれぞれにコイルの２つの長いセクション３４を有する磁気システム３０に実装される。したがって、長いセクション３４は、コイルのギャップ部分のようにということができる。コイルの２つの短いセクション３５は、真ん中の脚部２３の上に位置することになり、コイルの２つのギャップ部分に架設されることになる。振動板は、この長いエッジに沿って磁気システムに固定される。振動板は、ケースのエッジ５１の内側の側面間の距離に対応した幅を有する。所望ならば、振動板の長いエッジを、接着剤を使って磁気システムに固定してもよい。振動板の短い側は好適には何も接続されず、これにより、振動板の２つの側面の間に空気を接触させる狭いスロットが提供される。スロットは、変換器の音響性能、特に低周波数領域に影響を与える所望の音響特性を有するように調整することができる。
【００１９】
所望ならば、振動板の短いエッジを磁気システムもしくはケースに固定することもでき、あるいは代わりに、短いエッジが動けるようにスロットを柔軟な物質で閉じることができる。しかし、柔軟な物質は、空気が振動板の一方の側からもう一方の側へ移動することを妨げる。
【００２０】
好適な実施例では振動板は長方形であるが、他の形状を使うこともできる。
【００２１】
図１では、磁気回路が数層積層されているが、真ん中の脚部２３の最上位層が省かれており、最上位層は、２つの長い脚部および２つの短い脚部を持つ概ね長方形リングの形状を有する。真ん中の脚部２３の「失われた」箇所は、コイルの架設部分３５を収容する部屋を与える。しかし、「失われた」箇所は、必須ではない。真ん中の脚部２３に（典型的には２つの）窪みを設けるといったように、コイルの架設部分のための必要な部屋を作り出す他の構造も利用可能である。
【００２２】
磁気回路は、１つの凝縮したブロックとして、あるいは、真ん中の脚部が挿入された外側のリングとして作ることもできる。
【００２３】
図１および２は、プラスチックケース５０が、その側面に、ケース５０の底面で終わる２つの溝すなわちチャネル５２を有することも示している。チャネル５２は、舌部４２の幅に対応する幅を有する。舌部４２は折り曲げられて、ケース５０の底面にある溝の一部分を支えるための舌部の終端でチャネル５２の各１つを支える。舌部の終端は導電部分の終端が露出するように１８０度に折り曲げられるか、あるいは、スループレートホール（ｔｈｒｏｕｇｈ−ｐｌａｔｅｄ ｈｏｌｅ）が舌部を介した電気接続を確立する。これにより、舌部の導電部分の終端部は、変換器の電気端子としての役割を果たす。
【００２４】
代替例として、舌部の導電部分の終端部を、プラスチック筐体５０の溝５２に実装された電気端子にハンダ付けすることができる。
【００２５】
変換器は、好適には、振動板の正面に開口部を有するフロントカバーを有する。この変換器は、移動電話のような電気通信装置におけるマイクロホンもしくはスピーカー変換器として使うことができる。
【００２６】
長方形の振動板は、２つの対向するエッジに沿って保持されるが、このエッジは、好適には、長いエッジであり、２つの他のエッジには何も接続されない。これによって、振動板を簡単に折り曲げることができ、全周にわたって保持される振動板を有する変換器と比較して、本発明の変換器は、比較的厚い振動板で比較的高い感度を有することになる。
【００２７】
この変換器は、スピーカー変換器としてと、マイクロホンとしてとで、等しく適用することができる。スピーカー変換器として使うとき、可聴周波数で電気信号が端子に供給され、この結果生じるコイルのワイヤのギャップ部分の電流はギャップの磁界と相互作用し、これによりコイルおよび振動板が動いて可聴周波数の音が発生する。マイクロホンとして使われるときも同様に、振動板に作用する可聴周波数の音が振動板を動かし、コイルのワイヤのギャップ部分が磁界中を動くとき、電気信号が発生して変換器の端子において出力される。
【００２８】
好適な実施例では、磁気回路は長方形であり、コイルのギャップ部分を支える２つのギャップが存在し、ここでは、対向する平面間にギャップが画定される。別の構造では、磁気回路は、四角の辺のように配置された４つのギャップを有してもよく、これに対応してコイルは、四角の辺のように同様に配置された４つのギャップ部分を有する。このときコイルの架設部分は四角の隅にあり、振動板と４ヶ所で固定される。磁気回路の外輪郭は、円形を含む所望の形状を有することができる。また、ギャップおよびコイルのギャップ部分を、円弧のようなカーブすることができる。
【図面の簡単な説明】
【図１】
上方から見た分解組立図で示した本質的部分を有する本発明の好適な実施例を示す斜視図である。
【図２】
下方から見た斜視図で同じ部分を示した図である。
【図３】
図１〜２の変換器の磁気回路を示す図である。
【図４】
中間生成段階における図１〜２の変換器で使われるコイルを示す図である。
【国際公開パンフレット】
2004517591.tif 000003
2004517591.tif 000004
2004517591.tif 000005
2004517591.tif 000006
2004517591.tif 000007
2004517591.tif 000008
2004517591.tif 000009
2004517591.tif 000010
2004517591.tif 000011
2004517591.tif 000012
2004517591.tif 000013
2004517591.tif 000014
2004517591.tif 000015
2004517591.tif 000016
【手続補正書】
【提出日】平成14年12月27日(2002.12.27)
【手続補正１】
【補正対象書類名】明細書
【補正対象項目名】特許請求の範囲
【補正方法】変更
【補正の内容】
【特許請求の範囲】
【請求項１】
電気音響変換器（１０）であって、
間にギャップ（２８）を画定する対向面の組（（２７、２９）もしくは（２５、２９ａ））を有する磁気伝導性の物質からなる磁気回路（２０）であって、該磁気回路（２０）は前記ギャップ（２８）に磁界を有する磁石（２６）を備え、該磁石（２６）は、前記対応面の１つを構成する表面（２９もしくは２９ａ）を有する磁気回路（２０）と、
振動板（４０）と、
該振動板（４０）に固定された導電性経路を有するコイル（３０）であって、該コイル（３０）は、前記ギャップ（２８）に位置する経路部分（３４）を有するコイル（３０）と、を備え、
前記磁気回路（２０）は、前記ギャップ（２８）を完全に取り囲む閉磁路を画定する電気音響変換器。
【請求項２】
請求項１に記載の変換器（１０）であって、前記磁気回路（２０）は、第１および第２のギャップ（２８）を画定する２組の対抗面（（２７、２９）もしくは（２５、２９ａ））を有し、前記コイル（３０）は、前記第１および第２のギャップ（２８）のそれぞれ１つに位置する経路の第１および第２のギャップ部分（３４）と、該第１および第２のギャップ部分（３４）と相互接続する経路の架設部分（３５）と、を有し、前記コイル（３０）は、前記架設部分（３５）において前記振動板（４０）と固定される変換器。
【請求項３】
請求項２に記載の変換器（１０）であって、前記対向面の組（（２７、２９）もしくは（２５、２９ａ））のそれぞれは、互いに実質的に平行である実質的な平面である変換器。
【請求項４】
請求項１〜３のいずれか一項に記載の変換器（１０）であって、前記磁気回路（２０）は、その内部に２つの開口部（２４）を有する軟磁性の物質（２１、２２、２３）の本体を有し、各前記開口部（２４）は、前記第１および第２のギャップ（２８）のそれぞれ１つを画定する対向面の組（（２７、２９）もしくは（２５、２９ａ））を有する変換器。
【請求項５】
請求項４に記載の変換器（１０）であって、軟磁性の物質（２３）の表面（２７）と磁石（２６）の表面（２９）との間にギャップ（２８）を形成するよう各前記磁石（２６）が軟磁性の物質（２１）に取り付けられる変換器。
【請求項６】
軟磁性の物質（２１）の表面（２５）と磁石（２６）の表面（２９ａ）との間にギャップ（２８）を形成するよう各前記磁石（２３）が取り付けられる請求項４に記載の変換器。
【請求項７】
請求項４〜６のいずれか一項に記載の変換器（１０）であって、前記磁気回路（２０）の前記開口部（２４）が貫通しており、前記磁気伝導性の物質（２１、２２、２３）は、ギャップ（２８）を画定する前記対向面の組（（２７、２９）もしくは（２５、２９ａ））の各間に、各閉磁路を画定する変換器。
【請求項８】
請求項１〜７のいずれか一項に記載の変換器（１０）であって、振動板（４０）は、導電性を有する部分（４１）を有し、コイル（３０）は、前記振動板（４０）の前記導電性を有する部分（４１）に電気的に接続される導電性経路の終端（３１）を有し、前記導電性を有する部分（４１）は、前記変換器を電気的に終端するための外部からアクセス可能な部分をさらに有する変換器。
【請求項９】
請求項１〜８もしくは請求項２４〜２７のいずれか一項に記載の変換器において使われるコイル（３０）であって、該コイル（３０）は、前記振動板（４０）に前記コイル（３０）を固定する実質的に平面を有する架設面を画定する架設部分（３５）と、前記架設面に実質的に平行な複数の導電性セグメントをそれぞれが備える前記架設面の外側にあるギャップ部分（３４）と、を備えるコイル。
【請求項１０】
請求項９に記載のコイル（３０）であって、前記ギャップ部分（３４）において前記導電性セグメントは実質的に直線であるコイル。
【請求項１１】
請求項９または１０に記載のコイル（３０）であって、該コイル（３０）は、巻かれた導電性ワイヤによって形成されるコイル。
【請求項１２】
請求項９または１０に記載のコイル（３０）であって、該コイル（３０）は、フレックスプリントのような柔軟性のある回路ボード上に形成された導電性経路によって形成されるコイル。
【請求項１３】
導電性ワイヤからコイル（３０）を製造する方法であって、該方法は、
導電性ワイヤから、コイル軸を画定するコイルを生成することと、
前記コイル軸に垂直な２つの折り曲げ軸（３３）を囲むように前記コイル（３０）を折り曲げることと、を備える方法。
【請求項１４】
請求項１〜８もしくは請求項２４〜２７のいずれか一項に記載の電気音響変換器（１０）において使用する磁気回路（２０）であって、該磁気回路は、間にギャップ（２８）を画定する対向面の組（（２７、２９）もしくは（２５、２９ａ））を有する磁気伝導性の物質を備え、前記磁気回路（２０）は、前記ギャップ（２８）に磁界を含む磁石（２６）を備え、該磁石（２６）は、前記対抗面の１つを構成する表面（２９もしくは２９ａ）を有し、前記ギャップ（２８）は、コイルの一部分を受けるように合わせられ、前記コイルの他の部分は、前記振動板（４０）に固定される磁気回路。
【請求項１５】
前記磁気回路（２０）は、第１および第２のギャップ（２８）を画定する２組の対抗面（（２７、２９）もしくは（２５、２９ａ））を有する請求項１４に記載の磁気回路。
【請求項１６】
請求項１５に記載の磁気回路（２０）であって、各前記対抗面（（２７、２９）もしくは（２５、２９ａ））は、互いに実質的に平行である実質的な平面である磁気回路。
【請求項１７】
請求項１４〜１６のいずれか一項に記載の磁気回路（２０）であって、その内部に２つの開口部（２４）を有する軟磁性の物質（２１、２２、２３）の本体を有し、各前記開口部（２４）は、前記第１および第２のギャップ（２８）のそれぞれ１つを画定する対向面の組（（２７、２９）もしくは（２５、２９ａ））を有する磁気回路。
【請求項１８】
請求項１７に記載の磁気回路（２０）であって、軟磁性の物質（２３）の表面（２７）と磁石（２６）の表面（２９）との間にギャップ（２８）を形成するよう各前記磁石（２６）が軟磁性の物質（２１）に取り付けられる磁気回路。
【請求項１９】
請求項１７に記載の磁気回路（２０）であって、軟磁性の物質（２１）の表面（２５）と磁石（２６）の表面（２９ａ）との間にギャップ（２８）を形成するよう各前記磁石（２３）が軟磁性の物質（２１）に取り付けられる磁気回路。
【請求項２０】
請求項１９に記載の磁気回路（２０）であって、前記磁気回路（２０）の前記開口部（２４）が貫通しており、前記磁気伝導性の物質（２１、２２、２３）は、ギャップ（２８）を画定する前記対向面の組（（２７、２９）もしくは（２５、２９ａ））の間に、各閉磁路を画定する磁気回路。
【請求項２１】
請求項１４〜２０のいずれか一項に記載の磁気回路（２０）であって、前記コイル（３０）は、導電性ワイヤが巻かれることで形成される磁気回路。
【請求項２２】
請求項１４〜２０のいずれか一項に記載の磁気回路（２０）であって、前記コイル（３０）は、フレックスプリントのような柔軟性のある回路ボード上に形成された導電性経路によって形成される磁気回路。
【請求項２３】
前記柔軟性のある回路ボードは振動板の一部を形成する請求項２２に記載の磁気回路。
【請求項２４】
請求項１〜８のいずれか一項に記載の変換器（１０）であって、前記磁気回路（２０）を収容するケース（５０）を備え、該ケース（５０）は、２組のエッジによって確定される長方形状の開口部を備え、前記振動板（４０）は、前記長方形状の開口部を少なくとも部分的にカバーするよう前記ケース（５０）に取り付けられる変換器。
【請求項２５】
請求項２４に記載の変換器（１０）であって、前記振動板（４０）は、前記ケース（５０）の前記長方形状の開口部をカバーするような長方形状を有する変換器。
【請求項２６】
請求項２４に記載の変換器（１０）であって、前記振動板（４０）は、前記ケース（５０）の２組のエッジのうち１つに取り付けられる変換器。
【請求項２７】
請求項２４に記載の変換器（１０）であって、前記振動板（４０）は、前記ケース（５０）の両方の組のエッジに取り付けられる変換器。
【国際調査報告】
2004517591.tif 000017
2004517591.tif 000018
2004517591.tif 000019